(57)【特許請求の範囲】
【請求項１】
光源部からの出力を利用して画像を形成して投射する装置本体と、
少なくとも前記光源部を冷却する冷却手段と、
前記冷却手段を格納すると共に、前記冷却手段からの空気を排気する第１の開口部を有する第１の筐体と、
前記第１の開口部から排気された空気を吸気する第２の開口部を有すると共に、前記装置本体を格納する第２の筐体と、
前記第１の筐体から前記第２の筐体を回動させるヒンジ部と、を備え、
前記第２の筐体の前記第１の筐体からの傾き角度は、前記第１の開口部の垂直方向の射影と前記第２の開口部とが交わるように制御される、
画像表示装置。
【請求項２】
請求項１に記載の画像表示装置であって、
前記第２の開口部の前記第１の開口部の垂直方向の射影は、前記第１の開口部を包含するように前記傾き角度は制御される、画像表示装置。
【請求項３】
請求項１に記載の画像表示装置であって、
前記第２の筐体は、前記第２の筐体の上面側に回動可能であり、
前記第１の開口部は、前記第２の筐体の底面よりも上面の近くに配置される、画像表示装置。
【請求項４】
請求項１ないし３のうちいずれか１項に記載の画像表示装置であって、
前記第１の筐体は前記装置本体を制御する制御部をさらに格納し、
前記制御部を、前記冷却手段と前記第１の開口部との間に形成される冷却風路上に非配置とする、画像表示装置。
【請求項５】
請求項１ないし４のうちいずれか１項に記載の画像表示装置であって、
前記ヒンジ部に設けられると共に、前記第２の筐体と共に回動する突出部をさらに有し、
前記第１の開口部の最下点からの前記第１の開口部の垂直方向の射影が前記第２の開口部の最下点と交わるとき、前記突出部は前記第１の筐体と接触する、画像表示装置。
【請求項６】
請求項１ないし５のうちいずれか１項に記載の画像表示装置であって、
前記第２の開口部の位置は前記傾き角度に基づいて変化する、画像表示装置。
【発明の詳細な説明】
【技術分野】
【０００１】
本発明は半導体レーザを用いたレーザ光源装置を搭載した画像表示装置に関するものである。
【背景技術】
【０００２】
近年、大画面表示が可能な画像表示装置の光源として、レーザ光に注目が集まっており、このレーザ光を形成するための半導体レーザの技術開発が進んでいる。画像表示装置の光源として従来から用いられる超高圧水銀ランプ（ＵＨＰランプ）や、小型画像表示装置で最近用いられている発光ダイオード（ＬＥＤ）と比較すると、半導体レーザ光源を使用した光源は、高い色再現性、瞬時点灯が可能、長寿命、高い電気−光変換効率である等の利点がある。
【０００３】
以下、従来のレーザ光源装置について説明する。従来の光源装置は赤色（Ｒ）レーザ光、青色（Ｂ）レーザ光、緑色（Ｇ）レーザ光を連続発光する短波長レーザ光源の赤色レーザ光源、青色レーザ光源、緑色レーザ光源を有する。赤色レーザ光源、青色レーザ光源は赤色、青色のレーザ光を出射する半導体レーザであり、緑色レーザ光源は半導体レーザのレーザ光を波長変換して緑色のレーザ光を出射する構成である（例えば特許文献１参照）。
【先行技術文献】
【特許文献】
【０００４】
【特許文献１】特開２０１０−３２７９６号公報
【発明の概要】
【発明が解決しようとする課題】
【０００５】
上記従来の画像表示装置は３色のレーザ光を光源とし、高い色再現性のある画像を投射した。しかしながら、画像表示装置の投射方向を変えるために、例えば、画像表示装置は２つの筐体（固定部およびチルト部）を有することが必要である。チルト部は画像表示装置本体を格納し、投射口を有すると共に、固定部より回動可能であった。チルト部を回動することにより、画像表示装置の投射方向を変えることができた。
【０００６】
この構成において、投射方向をスムーズに変えるために、また、チルト部を所定の角度に留まらせるために、チルト部の重量を軽くする方が好ましかった。このため、画像表示装置本体を冷却するための冷却手段はチルト部ではなく、固定部に格納される必要があった。すなわち、画像表示装置本体を冷却するための冷却風路は、固定部およびチルト部とで形成された。このため、固定部に第１の開口部を設け、チルト部に第２の開口部を設けることにより、冷却手段からの空気を固定部からチルト部に送る必要があった。
【０００７】
しかしながら、チルト部が回動すると、固定部とチルト部との間に隙間が生じる。このため、チルト部が自由に回動可能であると、チルト部の回動角度によっては、チルト部に冷却手段からの空気が十分に送り込まれなかった。よって、画像表示装置の光源であるレーザ光源装置は十分に冷却されないため、画像表示装置の長時間の使用により、レーザ光源装置の出力が低下した。これにより、画像表示装置が投射する画像の画質が劣化した。
【０００８】
上記課題に鑑み、本発明は、第１の開口部から第２の開口部へ空気を送り込めるようにチルト部の回動角度を規制することにより、画像表示装置の画質劣化の抑制することを目的とする。
【課題を解決するための手段】
【０００９】
上記目的を達成するために、本発明の画像表示装置は、冷却手段を格納すると共に、前記冷却手段からの空気を排出する第１の開口部を有する固定部と、前記第１の開口部から排出された空気を吸気する第２の開口部を有すると共に、画像を投射する装置本体を格納するチルト部と、前記固定部から前記チルト部を回動させる軸となるヒンジ部と、を備え、前記第１の開口部の最下点からの前記第１の開口部の垂直方向の射影と前記第２の開口部とは交わるように前記ヒンジ部は制御されるような構成とした。
【発明の効果】
【００１０】
本発明の画像表示装置は以上のように構成されるため、チルト部を回動することにより投射方向を変更可能な画像表示装置において、チルト部に冷却手段からの空気をより確実に送り込むことができる。このため、チルト部内の装置本体をより確実に冷却することができ、画質劣化を抑制することができる。
【図面の簡単な説明】
【００１１】
【図１】本発明の実施例１における画像表示装置本体の概略斜視図
【図２】本発明の実施例１における画像表示装置の概略斜視図
【図３】本発明の実施例１における画像表示装置のチルト状態の概略斜視図
【図４】本発明の実施例１における画像表示装置を電子機器に取り付けたときの一例を示す図
【図５】本発明の実施例１における画像表示装置の内部構成を示す概略斜視図
【図６】本発明の実施例１における画像表示装置の冷却風路の一例を示す図
【図７】本発明の実施例１における各色レーザ光源装置の温度と出力の関係を示す図
【図８】本発明の実施例１における画像表示装置の筐体を３つの領域に識別したときの図
【図９】本発明の実施例１における画像表示装置の冷却風路の一例を示す図
【図１０】本発明の実施例１における画像表示装置の断面を示す図
【図１１】本発明の実施例１における画像表示装置のチルト部と固定部との高さの関係を説明するための図
【図１２】本発明の実施例２における画像表示装置の断面を示す図
【図１３】本発明の実施例３における画像表示装置の断面を示す図
【発明を実施するための形態】
【００１２】
本発明における第１の発明は、冷却手段を格納すると共に、前記冷却手段からの空気を排出する第１の開口部を有する固定部と、前記第１の開口部から排出された空気を吸気する第２の開口部を有すると共に、画像を投射する装置本体を格納するチルト部と、前記固定部から前記チルト部を回動させる軸となるヒンジ部と、を備え、前記第１の開口部の最下点からの前記第１の開口部の垂直方向の射影と前記第２の開口部とは交わるように前記ヒンジ部は制御される、ことを特徴とする画像表示装置に関する。
【００１３】
本発明における第２の発明は、前記第２の開口部の前記第１の開口部の垂直方向の射影は、前記第１の開口部を包含するように前記ヒンジ部は制御される、ことを特徴とする画像表示装置に関する。
【００１４】
本発明における第３の発明は、前記第１の開口部は、前記固定部内において前記チルト部の回動方向側に配置される、ことを特徴とする画像表示装置に関する。
【００１５】
本発明における第４の発明は、前記固定部に前記装置本体を制御する制御部をさらに格納し、前記制御部を、前記冷却手段および前記第１の開口部間に形成される冷却風路上に非配置とする、ことを特徴とする画像表示装置に関する。
【００１６】
本発明における第５の発明は、前記ヒンジ部に設けられると共に、前記チルト部と共に回動する突出部と、前記第１の開口部の最下点からの前記第１の開口部の垂直方向の射影が前記第２の開口部の最下点と交わるとき、前記突出部は前記固定部と接触する、ことを特徴とする画像表示装置に関する。
【実施例】
【００１７】
以下、本発明の画像表示装置について図面を用いて説明する。なお、以下に述べる実施例は、本発明の好適な具体例であり、技術的に良好な条件の限定が記載されているが、本発明の範囲は、以下の説明において特に本発明を限定する記載がない限り、これらの条件に限られるものではない。
【００１８】
（実施例１）
以下、本発明の実施例１について、図面を用いて説明する。
【００１９】
まず、画像表示装置本体の構成について図１を用いて説明する。図１は、本発明の実施例１における画像表示装置本体の概略斜視図である。
【００２０】
図１において、画像表示装置本体１００はレーザ光を光源とし、スクリーンに拡大化して投影する。画像表示装置本体１００の光源は緑色レーザ光源装置１（第１のレーザ光源）と、赤色レーザ光源装置２（第２のレーザ光源）と、青色レーザ光源装置３（第３のレーザ光源）との３つであり、３色のレーザ光源装置１〜３によって画像を表示する。
【００２１】
緑色レーザ光源装置１は非可視光である赤外基本レーザ光を半波長に変換することで、主として緑色レーザ光を出力する。緑色レーザホルダ１ａは緑色レーザ光源装置の筐体であると共に、緑色レーザホルダ１ａに格納される各素子（例えば、赤外基本レーザ光を出力する半導体レーザ（第１のレーザ素子）等）を固定する。
【００２２】
赤色レーザ光源装置２は赤色レーザ光を出力し、赤色レーザホルダ２ａを筐体とする。赤色レーザホルダ２ａは赤色レーザ光を出力する半導体レーザ（第２のレーザ素子）を保持する。
【００２３】
青色レーザ光源装置３は青色レーザ光を出力し、青色レーザホルダ３ａを筐体とする。青色レーザホルダ３ａは青色レーザ光を出力する半導体レーザ（第３のレーザ素子）を保持する。
【００２４】
ここで、緑色レーザ光源装置１、赤色レーザ光源装置２、青色レーザ光源装置３の配置について詳細に説明する。青色レーザ光源装置３は、本体筐体２００における投射レンズ４を保持した面に設け、青色レーザ光源装置３からのレーザ光を本体筐体２００の内部に導いている。
【００２５】
また、投射レンズ４、青色レーザ光源装置３が設けられている面に垂直かつ、青色レーザ光源装置３が設けられている側の面に、緑色レーザ光源装置１、赤色レーザ光源装置２を設けている。
【００２６】
ここで、本体筐体２００は、投射レンズ４、青色レーザ光源装置３が設けられている面を緑色レーザ光源装置１が設けられている方に延長するように突起部２０１を設けている。つまり、本体筐体２００の角部に突起部２０１を本体筐体２００と一体化して設けている。なお、突起部２０１は、本体筐体２００と別部材で設けてもよいが、一体で設けることで放熱を行いやすくなり好ましい。
【００２７】
また、緑色レーザ光源装置１の内部にあるＳＨＧ（Ｓｅｃｏｎｄ  ｈａｒｍｏｎｉｃ  ｇｅｎｅｒａｔｉｏｎ）素子、半導体レーザ等の素子を固定している緑色レーザホルダ１ａの固定面１ｂを上記突起部２０１の側面２０１ａに接するようにしている。側面２０１ａは突起部２０１における固定面１ｂと接する面である。
【００２８】
また、緑色レーザ光源装置１は、本体筐体２００の面２０２に直接熱を伝えないようにするため本体筐体２００の面２０２には接しておらず、所定の隙間（本実施例では、０．５ｍｍ以下）を設けてあり、さらに赤色レーザ光源装置２とは、赤色レーザ光源装置２の光軸調整幅を０．３ｍｍ程度必要であったため、緑色レーザ光源装置１と赤色レーザ光源装置２の隙間は０．３ｍｍ以上を設けてある。
【００２９】
なお、本実施例において所定の隙間を０．５ｍｍ以下としたのは、所定の隙間を大きく取ると画像表示装置全体が大きくなったり、また緑色レーザ光源装置１とコリメータレンズ（図示せず）との距離が大きくなり、コリメータレンズに到達する前に緑色レーザ光が拡散し、光の利用効率が悪くなるためである。
【００３０】
こうすることで、後述するが緑色レーザ光源装置１からの熱を、赤色レーザ光源装置２に伝わりにくくすることができ、温度特性の悪い赤色レーザ光源装置２を安定的に使用することができる。
【００３１】
光路誘導手段としてのダイクロイックミラー５および光路誘導手段としてのダイクロイックミラー６は表面に所定の波長のレーザ光を透過あるいは反射させるための膜を形成して構成される。
【００３２】
７はフィールドレンズであり、拡散されたレーザ光を収束レーザに変換する。８はＰＢＳ（Ｐｏｌａｒｉｚｅｄ  Ｂｅａｍ  Ｓｐｒｉｔｔｅｒ）であり、各色レーザ光を反射させ、空間変調素子９に当てる。
【００３３】
空間変調素子９は、各色レーザ光の偏向を調整し、画像形成を行う。今回使用した空間変調素子９は反射型の液晶である。
【００３４】
そして、投射レンズ４を通過して、大画面の画像を投射する。
【００３５】
また、各色レーザ光源装置１〜３からの各色レーザ光は各コリメータレンズによってそれぞれ平行光束され、平行光束された各色レーザ光はダイクロイックミラー５および６によって拡散板に導かれ、拡散板、フィールドレンズ７、ＰＢＳ８の順に介し、空間変調素子９で反射し、投射レンズ４によって拡大化されてスクリーン上に投影される。
【００３６】
次に図２〜４を用いて本発明の画像表示装置の概要について説明する。図２は、本発明の実施例１における画像表示装置の概略斜視図である。図３は、本発明の実施例１における画像表示装置のチルト状態の概略斜視図である。図４は、本発明の実施例１における画像表示装置を電子機器に取り付けたときの一例を示す図である。
【００３７】
画像表示装置１０は部材を格納する筐体１１を備え、筐体１１は固定部２０とチルト部３０とに分類される。固定部２０は制御基板および冷却ファン等を格納する。また、固定部２０の上面２１は鍵型に形成されると共に、複数の吸気口２１ａを備える。冷却ファンは吸気口２１ａの下（吸気口２１ａの垂直方向、すなわち、矢印Ｙの負方向）に配置される。
【００３８】
チルト部３０は上記説明した画像表示装置本体１００および後述するフィン等を格納する。チルト部３０の側面３１は複数の排気口３１ａを備えると共に、チルト部３０の側面３２は複数の排気口３２ａを備える。また、チルト部３０には、画像を投射するための投射口３３が設けられ、投射レンズ４はこの投射口３３より画像表示装置１０の外部に露出する。
【００３９】
固定部２０に格納される冷却ファンは吸気口２１ａより外部の空気を吸引し、この空気は排気口３１ａおよび３２ａより排気される。吸気口２１ａと排気口３１ａおよび３２ａとの間には後述する冷却風路が形成される。チルト部３０に格納される各色レーザ光源装置１〜３の放熱部はこの冷却風路に介在するため、各色レーザ光源装置１〜３の放熱は促進される。ここで、冷却風路の吸気口２１ａ側を上流とし、冷却風路の排気口３１ａおよび３２ａ側を下流とする。
【００４０】
なお、吸気口２１ａと排気口３１ａおよび３２ａとは複数でもよいが、単数でもよい。吸気口２１ａと排気口３１ａおよび３２ａの形状は円形でも楕円形でも多角形でもよく、特に限定するものではない。
【００４１】
また、図３に示すようにチルト部３０はヒンジ部（回動軸）２５を軸にして固定部２０より回動可能である。すなわち、チルト部３０は画像表示装置本体１００が画像を投射する方向の垂直方向に回動可能であり、投射レンズ４の投射角度を調節可能である。このため、投射レンズ４によって投射された画像が画像表示装置１０の設置面に反射することを抑制することができる。
【００４２】
また、画像表示装置１０は単体として使用されてもよいが、図４に示すように画像表示装置１０は電子機器であるＰＣ（Ｐｅｒｓｏｎａｌ  Ｃｏｍｐｕｔｅｒ）３００に取り付けてもよい。画像表示装置１０は必要に応じてＰＣ３００に出し入れ可能であり、ＰＣ３００のディスプレイ上の出力をスクリーンや壁等に投射可能である。このため、ＰＣ３００に別途画像表示装置を有線等で接続することなく、ＰＣ３００のディスプレイ上の出力を容易に大画面出力することができる。
【００４３】
画像表示装置１０をＰＣ３００（電子機器）に取り付ける場合、チルト部３０は自由に回動できるようにＰＣ３００の外部に突出していればよい。よって、固定部２０の少なくとも一部がＰＣ３００に固定されればよく、側面３１に対向する面側をＰＣ３００に固定してもよい。ただし、吸気口２１ａを確保するために側面３２に対向する面側をＰＣ３００に固定することが好ましい。
【００４４】
なお、ＰＣ３００以外で電子機器の例としては、テレビや、ディスプレイ、光ディスクプレイヤ、およびポータブル光ディスクプレイヤ等があり、画像を表示するものであれば、何でもよい。また、これら以外にも、電気機器（例えば、冷蔵庫や洗濯機等の家電機器）の情報を外部に投射するために、この電気機器に画像表示装置１０を搭載してもよい。
【００４５】
次に図５を用いて、画像表示装置１０の内部構成の概要について説明する。図５は、本発明の実施例１における画像表示装置の内部構成を示す概略斜視図である。以下、それぞれの部材について説明する。
【００４６】
制御基板２２は画像表示装置１０の制御を行う。制御基板２２は画像表示装置本体１００および後述する冷却ファン２３の制御部としての機能や、ＰＣ３００と画像表示装置本体１００とを電気的に接続するインタフェース部としての機能等を備える。また、制御基板２２より画像表示装置本体１００と冷却ファン２３とは電源を供給される。
【００４７】
冷却手段としての冷却ファン（送風機）２３は空気を吸引および放出し、画像表示装置１０の内部の放熱を促進する。冷却ファン２３は電源供給されると回転し、複数の吸気口２１ａ側より画像表示装置１０の外部より空気を取り入れ、矢印Ａの方向に空気を放出する。この冷却ファン２３から放出される空気を冷却空気として、以下説明する。
【００４８】
ガイド２４は制御基板２２の上に設けられ、冷却空気を所定の方向に導く。ここでは、ガイド２４は、矢印Ａの方向に放出された冷却空気を後述するフィン３４に導く。
【００４９】
フィン３４は熱伝導性の高い部材で形成され、赤色レーザ光源装置２の放熱部であり、赤色レーザ光源装置２の放熱を補助する。フィン３４は赤色レーザ光源装置２およびチルト部３０に隣接して設けられるため、赤色レーザ光源装置２の発熱はフィン３４に伝熱する。フィン３４はガイド２４を経由して冷却ファン２３より放出される冷却空気によって冷却されると共に、チルト部３０に放熱する。これにより、赤色レーザ光源装置２の放熱を促進することができる。また、フィン３４は放熱面積（表面積）が大きくなるような構造であり、冷却ファン２３からの冷却空気をより広い面積で受けることができる。このため、赤色レーザ光源装置２の放熱性を向上させることができる。なお、赤色レーザホルダ２ａとフィン３４とは別体としたが、熱伝導性を向上させるために一体とする方が好ましい。一体化することにより、赤色レーザ光源装置２は放熱を行いやすくなる。
【００５０】
凹部３４ａは赤色レーザホルダ２ａに格納される半導体レーザの給電端子を赤色レーザホルダ２ａの外部に突出するために設けられる。また、凹部３４ａはこの給電端子と制御基板２２より配線される給電線とを接続するためのスペースを確保する。なお、凹部３４ａを貫通させてもよいが、赤色レーザホルダ２ａとフィン３４との接触面積を大きく取るために貫通させずに、最小限の窪みとすることが好ましい。この接触面積を大きくすることで、赤色レーザホルダ２ａはより効果的にフィン３４に伝熱できる。
【００５１】
フィン３５は熱伝導性の高い部材で形成され、緑色レーザ光源装置１の放熱部であり、緑色レーザ光源装置１の放熱を補助する。フィン３５は緑色レーザ光源装置１の固定面１ｂと接する突起部２０１の側面２０１ａの反対側の側面２０１ｂとチルト部３０とに接している。このため、緑色レーザ光源装置１の発熱はフィン３５、チルト部３０に伝熱される。さらに、フィン３５も同様に放熱面積（表面積）が大きくなるような構造であり、緑色レーザ光源装置１の放熱性を向上させることができる。以上より、フィン３５は緑色レーザ光源装置１の放熱を促進する。なお、突起部２０１とフィン３５とは別体としたが、熱伝導性を向上させるために一体とする方が好ましい。一体化することにより、緑色レーザ光源装置１は放熱を行いやすくなる。
【００５２】
フィン３６は熱伝導性の高い部材で形成され、画像表示装置本体１００の（特に、各色レーザ光源装置１〜３）の放熱部であり、画像表示装置本体１００の放熱を補助する。フィン３６は高段部３６ａと低段部３６ｂとを備え、段差が設けられる階段構造である。低段部３６ｂは画像表示装置本体１００（例えば、空間変調素子９）に電気的に接続するためのスペースを確保するために設けられる。なお、空間変調素子９は制御基板２２と電気的に接続することにより、制御基板２２は空間変調素子９を制御できる。これにより、ＰＣ３００が出力したい画像を形成することができる。すなわち、画像表示装置本体１００はＰＣ３００が出力したい画像を投射することができる。
【００５３】
高段部３６ａの画像表示装置本体１００側の面はすべて本体筐体２００に接する。一方、低段部３６ｂの画像表示装置本体１００側の面は少なくとも一部が本体筐体２００に接し、この接する面は高段部３６ａ側である。
【００５４】
このように、低段部３６ｂと本体筐体２００とが接する面を限定したのは、空間変調素子９を積極的に冷却しないためである。空間変調素子９は各色レーザ光源装置１〜３のように温度を単純に低くすればよいのではなく、所定範囲の温度を維持することが好ましい。例えば、空間変調素子９の温度が５０℃以上になると、投射レンズ４より投射された画像に投射するつもりのない焼き付きが発生する可能性がある。また、空間変調素子９の温度が５〜１０℃程度になると、空間変調素子９の反射率が低下する。よって、これは投影する画像の画質に影響を与える。
【００５５】
そこで、本実施例の画像表示装置１０は投射レンズ４より矢印Ｘの負方向に設けられる空間変調素子９を積極的に冷却しないために、低段部３６ｂと、少なくとも空間変調素子９と対向する部分の本体筐体２００とは接しない構成とした。これにより、必要以上に空間変調素子９が冷却されることを抑制することができる。
【００５６】
なお、本体筐体２００とフィン３６とは別体としたが、熱伝導性を向上させるために一体とする方が好ましい。一体化することにより、本体筐体２００、すなわち各色レーザ光源装置１〜３は放熱を行いやすくなる。
【００５７】
また、各色レーザ光源装置１〜３の放熱は本体筐体２００およびフィン３６も利用する。各色レーザホルダ１ａ〜３ａは本体筐体２００と接しているため、各色レーザ光源装置１〜３の発熱は本体筐体２００に伝熱する。さらに、フィン３６は本体筐体２００に接しているため、本体筐体２００の放熱を行う。なお、高段部３６ａおよび低段部３６ｂは共にチルト部３０とも接する。すなわち、フィン３６はチルト部３０にも放熱できる。
【００５８】
次に、図６を用いて吸気口２１ａと排気口３１ａおよび３２ａとの間に形成される冷却風路（放熱流路）について説明する。図６は、本発明の実施例１における画像表示装置の冷却風路の一例を示す図である。なお、図６は、図５を矢印Ｙの負方向より見たときの図でもある。
【００５９】
冷却風路とは吸気口２１ａより吸引された空気が排気口３１ａおよび３２ａより排気されるまでの空気の道のりである。本実施例は第１、第２の冷却風路を備え、第１の冷却風路は矢印Ａ、Ｂ、Ｃ、Ｄ、Ｅの順に導かれ、最終的に排気口３１ａより排気される。第２の冷却風路は矢印Ａ、Ｂ、Ｆの順に導かれ、最終的に排気口３２ａより排気される。この２つの冷却風路に介在する各色レーザ光源装置１〜３の放熱部を冷却空気が冷却することにより、各色レーザ光源装置１〜３の放熱は促進される。すなわち、各色レーザ光源装置１〜３の温度上昇は抑制される。以下、この２つの冷却風路について説明する。
【００６０】
上記説明したように、冷却ファン２３は矢印Ａの方向に冷却空気を放出する。この冷却空気はガイド２４によってフィン３４の方向に導かれる。したがって、冷却ファン２３からフィン３４への冷却風路は矢印Ｂのようになり、フィン３４は冷却される。
【００６１】
ここで、冷却風路は矢印Ｃの方向と矢印Ｆの方向とに分岐される。ここで、矢印Ｃの方向に進む冷却風路を第１の分岐路とし、矢印Ｆの方向に進む冷却風路を第２の分岐路とする。まず、冷却空気が矢印Ｃの方向（第１の分岐路）に進むときについて説明する。
【００６２】
第１の分岐路の開口面積は第２の分岐路の開口面積よりも大きいため、冷却空気は主に矢印Ｃの方向に導かれる。さらに、チルト部３０内にはガイド３７を設けており、ガイド３７は矢印Ｃの方向に導かれた冷却空気を矢印Ｄの方向に導く。これにより、冷却空気はフィン３５に到達し、フィン３５を冷却する。そして、冷却空気は投射レンズ４とフィン３５との間に設けられる青色レーザ光源装置３を冷却し、排気口３１ａより（矢印Ｅの方向に）排出される。以上のように（矢印Ａ、Ｂ、Ｃ、Ｄ、Ｅの順に）第１の冷却風路は形成され、冷却空気はこの第１の冷却風路に介在する部材の熱を吸収する。
【００６３】
次に、冷却空気が矢印Ｆの方向（第２の分岐路）に進むときについて説明する。
【００６４】
矢印Ｆの方向に進む冷却空気は排気口３２ａに導かれる冷却空気であると共に、開口面積の大きい第１の分岐路に（矢印Ｃの方向に）進まなかった残りの冷却空気である。この冷却空気はフィン３６を冷却することで、本体筐体２００の放熱を促進する。フィン３６の熱を吸収した冷却空気は排気口３２ａより放出される。
【００６５】
以上説明したように、第１の冷却風路は矢印Ａ、Ｂ、Ｃ、Ｄ、Ｅの順となり、第２の冷却風路は矢印Ａ、Ｂ、Ｆの順となる。したがって、第１の冷却風路を流れる冷却空気は赤色レーザ光源装置２の放熱部（フィン３４）、緑色レーザ光源装置１の放熱部（フィン３５）、青色レーザ光源装置３の放熱部（青色レーザホルダ３ａ）の順に冷却し、第２の冷却風路を流れる冷却空気はフィン３６（画像表示装置本体１００）を冷却する。すなわち、各色レーザ光源装置１〜３の放熱は、赤色レーザ光源装置２、緑色レーザ光源装置１、青色レーザ光源装置３の順に優先される。これにより、画像表示装置１０の画質劣化を抑制することができる。
【００６６】
以下、その理由について図５および図７を用いて詳細に説明する。図７は、本発明の実施例１における各色レーザ光源装置の温度と出力の関係を示す図である。
【００６７】
まず、赤色レーザ光源装置２が最も優先的に放熱される理由について説明する。
【００６８】
赤色レーザ光源装置２は各色レーザ光源装置１〜３の中で一般的に最も温度特性が悪い。ここでいう温度特性とは各色レーザ光源装置１〜３で最低限必要な光出力以上の光出力が得られる温度範囲を示した特性をいう。図７に示すように、各色レーザ光源装置１〜３は異なる温度特性を有する。赤色レーザ光源装置２および青色レーザ光源装置３の出力は温度が上昇するにつれて下降する。緑色レーザ光源装置１の出力は所定の温度を過ぎると、同様に、温度が上昇するにつれて下降する。以上より、各色レーザ光源装置１〜３は基本的に温度が上昇することにより、これらの出力は低下し、これらの中でも特に赤色レーザ光源装置２の出力が低下する。このため、赤色レーザ光源装置２の温度上昇を優先的に抑制することが好ましい。
【００６９】
したがって、本実施例は画像表示装置本体１００の開口部３８の近傍にフィン３４を設ける。すなわち、赤色レーザ光源装置２の放熱部であるフィン３４は冷却風路に介在する各色レーザ光源装置１〜３の放熱部において、最も上流側に設けられる。これにより、チルト部３０内に導かれた冷却空気はフィン３５およびフィン３６および青色レーザホルダ３ａを冷却する前にフィン３４を冷却する。すなわち、この冷却空気はフィン３５およびフィン３６、またはチルト部３０内の他の部材の熱を吸収する前にフィン３４を冷却する。さらに、フィン３４は矢印ＣとＦとに分岐される前の大きい容量の冷却空気で冷却される。このように冷却風路を形成することで、赤色レーザ光源装置２の放熱部（フィン３４）は優先的に冷却される。したがって、最も温度特性の悪い赤色レーザ光源装置２の出力低下を優先的に抑制することができる。よって、画像表示装置本体１００は安定して高画質の画像を出力することができる。
【００７０】
次に、赤色レーザ光源装置２の次に緑色レーザ光源装置１の放熱が優先される理由について説明する。
【００７１】
各色レーザ光源装置１〜３の中で緑色レーザ光源装置１は一般的に最も必要な電流値が大きい。また上述の通り、緑色レーザ光源装置１は赤外基本レーザ光を半波長に変換することで、主として緑色レーザ光を出力する。すなわち、半導体レーザより出射されたレーザ光が緑色レーザ光に変換されるまで様々な素子（例えば、ＳＨＧ素子）を経由する。これにより、光のロスが発生するため、赤色レーザ光源装置２および青色レーザ光源装置３に比べて、緑色レーザ光源装置１が電気を光に変換する効率は悪い。つまり、緑色レーザ光源装置１は赤色レーザ光源装置２および青色レーザ光源装置３に比べて、所定の出力量を出すために必要な電力量が大きい。このため、各色レーザ光源装置１〜３の中で緑色レーザ光源装置１は一般的に最も発熱量が大きい。したがって、緑色レーザ光源装置１の発熱が突起部２０１に伝わり（すなわち、本体筐体２００に伝わり）、赤色レーザ光源装置２および青色レーザ光源装置３の温度上昇を促す可能性がある。このとき、赤色レーザ光源装置２および青色レーザ光源装置３の出力低下は助長される。
【００７２】
そこで、本実施例では、赤色レーザ光源装置２の次に優先して緑色レーザ光源装置１を冷却するように、画像表示装置１０は構成されると共に冷却風路は形成される。つまり、緑色レーザ光源装置１は青色レーザ光源装置３よりも優先的に冷却される。すなわち、青色レーザ光源装置３の熱を吸収する前の冷却空気で緑色レーザ光源装置１の放熱部（フィン３５）は冷却される。また、第１の分岐路の方に（矢印Ｃの方に）多くの冷却空気が導かれる理由の１つは緑色レーザ光源装置も優先的に放熱したいからである。
【００７３】
さらに、画像表示装置１０は緑色レーザ光源装置１の熱が他のレーザ光源装置、特に赤色レーザ光源装置２に伝わりにくい構成とした。緑色レーザ光源装置１は突起部２０１の側面２０１ａに接し、固定される。一方、上記説明したように緑色レーザ光源装置１と面２０２との間に所定の隙間が設けられる。したがって、緑色レーザ光源装置１が本体筐体２００と接する側面２０１ａと、赤色レーザ光源装置２が本体筐体２００と接する面２０２とは異なる面である。すなわち、本実施例の画像表示装置本体１００は赤色レーザ光源装置２および本体筐体２００の接触面と緑色レーザ光源装置１および本体筐体２００の接触面との距離を遠ざける構成とした。これにより、緑色レーザ光源装置１の発熱が赤色レーザ光源装置２へ伝わりにくくすることができ、赤色レーザ光源装置２の出力低下は抑制される。
【００７４】
さらに、突起部２０１は本体筐体２００の角部に一体化して設けられ、フィン３５は緑色レーザ光源装置１の固定面１ｂと接する側面２０１ａの反対側の側面２０１ｂに接して設けられる。すなわち、緑色レーザ光源装置１の発熱は突起部２０１の中で最も広い面積を有する側面２０１ｂを介してフィン３５に伝えられやすい。このため、緑色レーザ光源装置１の発熱は主にフィン３５に伝えられる。すなわち、緑色レーザ光源装置１は主にフィン３５を利用して放熱を行う。したがって、緑色レーザ光源装置１の熱が赤色レーザ光源装置２へ伝わることは抑制され、赤色レーザ光源装置２の温度上昇は抑制される。よって、赤色レーザ光源装置２は安定して出力できる。
【００７５】
なお、徹底して緑色レーザ光源装置１の放熱をフィン３５で行いたい場合、換言すると、緑色レーザ光源装置１の発熱を可能な限り赤色レーザ光源装置２に伝えたくない場合、突起部２０１は本体筐体２００と別部材であること、または本体筐体２００から切り離すことが好ましい。これにより、緑色レーザ光源装置１の熱は本体筐体２００に伝わりにくくなる。すなわち、緑色レーザ光源装置１の熱が赤色レーザ光源装置２へさらに伝わりにくくなる。仮に、突起部２０１が本体筐体２００から切り離される場合、突起部２０１は例えばチルト部３０に固定されればよい。
【００７６】
次に、各色レーザ光源装置１〜３の放熱経路について詳細に説明する。また、これらの放熱経路に基づいて、本実施例における画像表示装置１０の放熱性が向上することについても説明する。
【００７７】
緑色レーザ光源装置１における発熱部（赤外基本レーザ光を出力する半導体レーザ等）の発熱は、まず緑色レーザホルダ１ａに伝えられる。この緑色レーザホルダ１ａに伝えられた熱は冷却風路に接する面より放熱されると共に、固定面１ｂおよび側面２０１ａを介して突起部２０１に伝えられる。この突起部２０１に伝えられた熱は側面２０１ｂを介してフィン３５に伝えられると共に、本体筐体２００の内部に伝えられる。フィン３５は冷却風路上に設けられるため、このフィン３５に伝えられた熱は冷却空気により吸収されると共に、チルト部３０に放熱する。また、冷却空気で冷却されるフィン３６は低温であるため、本体筐体２００の内部に伝えられた熱はフィン３６に伝えられやすい。そして、このフィン３６に伝えられた熱は冷却空気によって吸収されると共に、チルト部３０に放熱する。
【００７８】
赤色レーザ光源装置２における発熱部（赤色レーザ光を出力する半導体レーザ等）の発熱は、まず赤色レーザホルダ２ａに伝えられる。この赤色レーザホルダ２ａに伝えられた熱はフィン３４に伝えられると共に、本体筐体２００に伝えられる。フィン３４は冷却風路上に設けられるため、このフィン３４に伝えられた熱は冷却空気により吸収される。また、フィン３４の熱はチルト部３０に放熱する。また、上述した同様の理由で本体筐体２００に伝えられた熱はフィン３６に伝わり、この熱は冷却空気によって吸収されると共に、チルト部３０に放熱される。
【００７９】
青色レーザ光源装置３における発熱部（青色レーザ光を出力する半導体レーザ等）の発熱は、まず青色レーザホルダ３ａに伝えられる。青色レーザホルダ３ａは冷却風路上に設けられるため、この青色レーザホルダ３ａに伝えられた熱は冷却空気により吸収される。また、この青色レーザホルダ３ａに伝えられた熱は本体筐体２００に伝えられる。上述した同様の理由で本体筐体２００に伝えられた熱はフィン３６に伝わり、この熱は冷却空気によって吸収される。
【００８０】
以上より、各色レーザ光源装置１〜３は複数の放熱経路を有し、これらの放熱経路上の部材は実質的に各色レーザ光源装置１〜３の放熱部である。各色レーザ光源装置１〜３は主として放熱を行う放熱部（例えば、冷却風路上に設けられるフィン３４および３５、青色レーザホルダ３ａ等）以外にも放熱経路を有し、分散して放熱を行う。これにより、各色レーザ光源装置１〜３は放熱性を高めている。例えば、赤色レーザ光源装置２はフィン３４のみでなく、本体筐体２００やチルト部３０も利用して放熱を行う。同様に、緑色レーザ光源装置１および青色レーザ光源装置３も本体筐体２００やチルト部３０を利用して放熱を行う。さらに、本体筐体２００の熱はフィン３６によって放熱される。
【００８１】
以上より、本実施例の画像表示装置１０は各色レーザ光源装置１〜３の温度特性および発熱量を考慮して構成されると共に、冷却風路を形成する。このため、長時間の使用による画像表示装置１０の画質劣化は抑制される。すなわち、画像表示装置１０は安定して高画質の画像を出力可能である。
【００８２】
なお、当然のことながら、青色レーザホルダ３ａにフィンを設けてもよいし、緑色レーザホルダ１ａの矢印Ｚの負方向にフィン３５以外にもう１つのフィンを設けてもよい。フィン３４〜３６はチルト部３０に接しなくてもよく、フィン３４〜３６の構造は剣山状でも階層状でもよく特に限定するものではない。また、本実施例では、フィン３４で第１の分岐路と第２の分岐路とに冷却風路を分岐したが、この分岐はフィン３４より、冷却風路のフィン３４より上流側で行われてもよいし、下流側で行われてもよい。また、チルト部３０は本体筐体２００と一体でもよい。
【００８３】
次に、図８を用いて画像表示装置１０の小型化に優れる点について説明する。図８は、本発明の実施例１における画像表示装置１０の筐体１１を３つの領域Ｓ、Ｔ、Ｕに識別したときの図である。なお、図８は、図６と同様に画像表示装置１０を矢印Ｙの負方向から見たときの図でもある。
【００８４】
図８に示すように筐体１１は領域Ｓ（第１の領域）、領域Ｔ（第２の領域）、領域Ｕ（第３の領域）に識別される。このとき、固定部２０は領域Ｓ、Ｕに識別され、領域Ｔにおける筐体１１はチルト部３０である。よって、領域Ｔはチルト可能である。
【００８５】
画像表示装置１０は制約されたスペース（例えば、ＰＣ３００の光ディスクドライブ装置を収納するスペース）に収納可能な大きさで形成される。これにより、画像表示装置１０はＰＣ３００に搭載可能である。画像表示装置１０が使用されないとき、画像表示装置１０はＰＣ３００のドライブに側面３２の対極面側より挿入され、収納される。画像表示装置１０が使用されるとき、画像表示装置１０はＰＣ３００より突出する。このとき、領域Ｓの少なくとも一部はＰＣ３００に収納され、保持される。
【００８６】
また、制御基板２２はＰＣ３００、画像表示装置本体１００（各色レーザ光源装置１〜３、ＰＢＳ８、空間変調素子９等）、冷却ファン２３と電気的に接続する。これにより、画像表示装置本体１００および冷却ファン２３は制御基板２２を介してＰＣ３００より給電されると共に、画像表示装置本体１００は制御基板２２を介してＰＣ３００のディスプレイ上の画像を投射できる。よって、画像表示装置１０はＰＣ３００の外部で有線接続することなく、ＰＣ３００のディスプレイ上の画像を投射できる。
【００８７】
以下、画像表示装置１０をＰＣ３００から突出させ、使用するときについて説明する。
【００８８】
画像表示装置１０を使用する際にも、領域Ｓの少なくとも一部はＰＣ３００に保持される。これにより、画像表示装置１０は使用時もＰＣ３００に固定され、ＰＣ３００の設置面と固定部２０との平行を保つことができる。すなわち、画像表示装置１０が投射する画像がＰＣ３００の設置面に対して傾くことは抑制される。また、画像表示装置１０において、領域ＳはＰＣ３００の最も近くに位置する。このため、制御基板２２の一部は領域Ｓに配置され、制御基板２２とＰＣ３００とは容易に電気的に接続できる。
【００８９】
領域Ｔは領域Ｓの矢印Ｚの正方向（領域Ｓを挟んでＰＣ３００の反対側）に位置する。このため、画像表示装置本体１００を格納する領域Ｔは画像表示装置１０の使用時にＰＣ３００より突出する。よって、領域Ｔ（チルト部３０）の矢印Ｙの正負方向に障害物は存在しない。このため、領域Ｔ（チルト部３０）は画像を投射する方向に対する垂直の方向に回動可能である。また、投射口３３は使用時ではＰＣ３００の外部に位置する。このため、画像表示装置本体１００は投射口３３より画像を投射できる。さらに、投射口３３は領域Ｔにおいて領域Ｓよりも側面３２の近くに設けられる。換言すると、投射口３３は領域Ｓよりも、筐体１１の電気機器側の面の対極面の近くに設けられる。これにより、投射口３３とＰＣ３００とは遠ざけられる。よって、投射口３３より投射される画像にＰＣ３００の影が入ることを抑制することができる。
【００９０】
領域Ｕは領域Ｓの矢印Ｚの正方向（領域Ｓを挟んでＰＣ３００の反対側）に位置すると共に、領域Ｔの矢印Ｘの負方向（領域Ｔの投射口３３の反対側）に位置する。領域Ｕは固定部２０においてＰＣ３００から完全に突出する部分である。すなわち、冷却ファン２３および吸気口２１ａはＰＣ３００の外部に位置するため、冷却ファン２３は吸気口２１ａより画像表示装置１０の外部の空気を吸気することができる。冷却ファン２３は領域Ｕにおいて領域Ｓよりも側面３２の近くに配置される。換言すると、冷却ファン２３は領域Ｓよりも、筐体１１の電気機器側の面の対極面の近くに設けられる。よって、領域Ｕにおいて冷却ファン２３と領域Ｓとの間にスペースが生じる。よって、このスペースを利用して制御基板２２の一部を配置することができ、制御基板２２は領域Ｓと領域Ｕを跨いで一枚の基板として配置される。
【００９１】
以上のように、領域Ｓ、Ｔ、Ｕに各部材を配置することにより、画像表示装置１０は制約のあるスペースに収納できるように小型化できる。領域Ｔ（チルト部３０）のみを回動可能とし、この領域Ｔに画像表示装置本体１００を格納する。領域Ｔの矢印Ｘの負方向に位置する領域Ｕは領域Ｔと隣接し、領域Ｔと領域Ｕとの境界にヒンジ部２５が設けられ、このヒンジ部２５を軸に領域Ｔは回動する。
【００９２】
一方で、領域Ｓと領域Ｕは共に固定部２０であるため、領域Ｓと領域Ｕとが離れたり、どちらか一方が傾くことはない。よって、平面である一枚の制御基板２２を領域Ｓと領域Ｕを跨いで配置することが可能となる。制御基板２２を異なる領域に配置することで、筐体１１内のスペースを有効に活用することができる。
【００９３】
さらに、制御基板２２が領域Ｕに位置することにより、同じ領域Ｕに配置される冷却ファン２３との距離を近づけることができる。すなわち、制御基板２２と冷却ファン２３とを容易に電気的に接続することができる。また、制御基板２２は領域Ｔの２方向（矢印Ｘの負方向および矢印Ｚの負方向）に存在する。他の言い方をすると、制御基板２２は領域Ｔにおける１つの角を覆うように配置される。このため、制御基板２２は容易に領域Ｓと領域Ｔとの境界を跨いで、あるいは、容易に領域Ｕと領域Ｔとの境界を跨いで画像表示装置本体１００に配線できる。ただし、チルト部３０を回動させると、チルト部３０は領域Ｓとの隣接面は乖離するため、領域Ｕと領域Ｔとの境界を跨いで画像表示装置本体１００に配線する方が望ましい。
【００９４】
また、上記説明したように、各色レーザ光源装置１〜３の発熱は放熱されるため、画像表示装置１０の発熱がＰＣ３００に伝わり、ＰＣ３００に悪影響を与えることを抑制することができる。
【００９５】
なお、領域Ｔと領域Ｕとの位置を逆にし、領域Ｔと領域Ｕの構成を左右反対にしてもよい。すなわち、投射口３３は本実施例の反対側に設けられ、画像表示装置１０は図４に示す投射方向の反対方向に投射することができる。
【００９６】
以下、図９を用いて図６および図８に示す画像表示装置１０とは異なる構成について説明する。図９は、本発明の実施例１における画像表示装置の冷却空路の一例を示す図である。
【００９７】
図６および図８に示す画像表示装置１０と図９に示す画像表示装置１０との異なる点は冷却ファン２３の配置位置と、制御基板の配置および構成と、フィンの配置および構造とである。以下、これらの異なる点について説明する。
【００９８】
図９に示すように、冷却ファン２３は開口部３８より矢印Ｘの反対方向に設けられ、冷却空気を矢印Ｇの方向に排出する。このため、図９に示す画像表示装置１０ではガイド２４を設けず、冷却ファン２３からの冷却空気は直接フィン３４を冷却する。図示しないが、冷却ファン２３より矢印Ｙの正方向の固定部２０の上面２１に吸気口２１ａは設けられる。
【００９９】
また、図９に示す画像表示装置１０では、制御基板２２は一枚の基板ではなく、二枚の基板（制御基板２２ａと制御基板２２ｂと）に分かれるが、制御基板２２ａと制御基板２２ｂとは冷却ファン２３と固定部２０との間で電気的に接続される。すなわち、制御基板２２ａと制御基板２２ｂとは物理的には二枚の基板であるが、電気的には一枚の基板である。よって、分離された制御基板２２ｂは制御基板２２ａを介してＰＣ３００等の電気機器より電力供給される。以上説明したように、制御基板２２は電気的に一枚の基板であるため、図９に示す画像表示装置１０も図６および図８に示す画像表示装置１０と同様に、制御基板２２は領域Ｓと領域Ｕを跨いで配置される。
【０１００】
また、フィン３９は赤色レーザホルダ２ａに接している。すなわち、フィン３４と同様に赤色レーザ光源装置２の放熱部である。図９に示すように、フィン３９はフィン３４に比べて小さい構造となっている。図９に示す画像表示装置１０では、フィン３４に変えてフィン３９を配置することにより生じるスペースを利用して、フィン４０が設けられる。フィン４０はチルト部３０に接している。また、フィン３９はフィン３４の凹部３４ａと同様の凹部３９ａを有する。
【０１０１】
フィン３９は放熱する表面積を広くするための階層構造である。さらに、フィン３９は冷却風路を形成するために、図９に点線で示すガイド３９ｂを内部の階層に有する。フィン４０も同様に、表面積を広くするための階層構造であり、冷却風路を形成するために、図９に点線で示すガイド４０ａを内部の階層に有する。
【０１０２】
図９に示す画像表示装置１０は以上のように構成されるため、冷却ファン２３より矢印Ｇの方向に放出される冷却空気は主に矢印Ｇの直線延長方向に（第１の分岐路）進むと共に、その少なくとも一部は矢印Ｆの方向（第２の分岐路）に分岐される。矢印Ｇの直線延長方向に進んだ冷却空気の少なくとも一部はガイド３９ｂによって矢印Ｈの方向に導かれる。これにより、矢印Ｈの方向に導かれた冷却空気は冷却ファン２３より直線的に流れる冷却空気と合流し、ガイド４０ａの方向に導かれる。よって、ガイド４０ａに導かれた冷却空気は矢印Ｉの方向に導かれる。これにより、この冷却空気は緑色レーザ光源装置１および青色レーザ光源装置３の放熱部を冷却し、排気口３１ａより排気される。一方、矢印Ｆの方向に進んだ冷却空気はフィン３６を冷却し、排気口３２ａより排気される。以上のように冷却風路は形成されるため、図９に示す画像表示装置１０はは図６および図８に示す画像表示装置１０と同様の効果を得る。
【０１０３】
さらに、図６および図８を用いて説明したように、各色レーザ光源装置１〜３の発熱は最終的にチルト部３０に伝わる。フィン４０は各色レーザ光源装置１〜３に接してなく、かつ、多くの冷却空気を受ける。よって、フィン４０は低温を保つことができる。すなわち、図９に示す画像表示装置１０の構成では、チルト部３０からさらにフィン４０に放熱することができる。これにより、画像表示装置の放熱性を高めることができる。
【０１０４】
さらに、図９に示す画像表示装置１０の構成の場合、ガイド２４を必要とせずにチルト部３０に直接空気を送り込むことが可能である。このため、ガイド２４による冷却空気のロス（例えば、チルト部３０に向かわず、固定部２０内を彷徨う冷却空気）が発生しにくい。したがって、より確実にチルト部３０に冷却空気を送り込むことができる。
【０１０５】
さらに、図９に示す画像表示装置１０の構成は図６および図８に示す画像表示装置１０の構成と異なり、冷却ファン２３より排出される冷却空気は制御基板２２の上を通過せずにチルト部３０に送り込まれる。すなわち、本実施例は制御基板２２で発生する熱を吸収せずにフィン３９を冷却する。これにより、フィン３９および４０をより効果的に冷却することができる。
【０１０６】
次に、図１０を用いてチルト部３０の角度規制について説明する。図１０は、本発明の実施例１における画像表示装置の断面を示す図である。また、図１０は、図６のＪ−Ｊ断面を矢印Ｚの正方向から見たときの図でもある。
【０１０７】
上述したように、ヒンジ部２５はチルト部３０と固定部２０との間の回動軸である。本実施例では、ヒンジ部２５をチルト部３０に設ける構成としたが、ヒンジ部２５は固定部２０に設けられてもよい。チルト部３０は画像表示装置本体１００を格納すると共に、投射口３３を有する。よって、チルト部３０が回動することによって、画像表示装置１０の投射角度を変更することができる。さらに、回動角度θを規制することにより、画質の劣化を抑制できる点について詳細に説明する。
【０１０８】
なお、以下の説明ではチルト部３０の角度規制を詳細に説明するために、固定部２０からチルト部３０へ冷却空気を送るための開口部３８を上流開口部３８ａと下流開口部３８ｂとに分けて説明する。
【０１０９】
まず、各部材とその関係について説明する。
【０１１０】
内側面４１は固定部２０の側面であり、内側面４２はチルト部３０の側面である。チルト部３０の非回動時では、内側面４１と内側面４２とは隣接するが、チルト部３０が固定部２０より傾くほど、内側面４２は内側面４１より遠ざかる。
【０１１１】
上流開口部３８ａは冷却風路上の固定部２０の内側面４１に設けられる開口部である。冷却ファン２３からの冷却空気は図６、図１０に示すように矢印Ｂの方向に導かれる。この冷却空気は上流開口部３８ａを通過して、チルト部３０に向かう。
【０１１２】
下流開口部３８ｂは冷却風路において上流開口部３８ａよりも下流側に位置すると共に、冷却風路上のチルト部３０の内側面４２に設けられる開口部である。上流開口部３８ａを通過した冷却空気は、さらに下流開口部３８ｂを通過する。これにより、冷却空気はチルト部３０に送り込まれる。そして、冷却空気はチルト部３０内の熱を吸収し、排気口３１ａ、３２ａより排出される。
【０１１３】
回動角度θは、チルト部３０の固定部２０からの傾き角度であり、図１０に示すように、直線Ｋ−Ｋと、直線Ｌ−Ｌとが成す角度である。直線Ｋ−Ｋは、ヒンジ部２５の中心軸のからの矢印Ｙの負方向の直線であり、直線Ｌ−Ｌは、ヒンジ部２５の中心軸からの内側面４２の底辺に対する垂線である。なお、本実施例では内側面４１と内側面４２とは平面である（換言すると、内側面４１と直線Ｋ−Ｋとは平行であると共に、内側面４２と直線Ｌ−Ｌとは平行である）ため、回動角度θは内側面４１と内側面４２とが成す角度でもある。また、回動角度θは図１０において、矢印Ｂと矢印Ｃとが成す角度でもある。また、本実施例において、底面４３と底面４４とは平面である。よって、直線Ｋ−Ｋはヒンジ部２５の中心軸からの固定部２０の底面４３を含む平面に対する垂線と、直線Ｌ−Ｌはヒンジ部２５の中心軸からのチルト部３０の底面４４を含む平面に対する垂線とが成す角度でもある。また、回動角度θは固定部２０の底面４３と、チルト部３０の底面４４とが成す角度でもある。
【０１１４】
以下、回動角度θ＝０のとき（すなわち、内側面４１と内側面４２とが平行であるとき）を非回動時とし、回動角度θ≠０のとき（すなわち、内側面４１と内側面４２とが平行でないとき）を回動時とする。このとき、回動角度θは、回動時の投射方向と、非回動時の投射方向と、が成す角度でもある。すなわち、この角度は投射角度であり、本実施例において回動角度θと投射角度とは同じである。図４に示すように画像表示装置１０がＰＣ３００に搭載される場合、回動角度θは、ＰＣ３００の設置面と、投射方向とが成す角度でもある。
【０１１５】
次に、図１０および図１１を用いて高さＨ１、高さｈ２、回動高さｙについて説明する。図１１は、本発明の実施例１における画像表示装置のチルト部と固定部との高さの関係を説明するための図である。また、図１１（ａ）は、図１０の画像表示装置１０を直線Ｋ−Ｋで切ったときの断面を矢印Ｘの負方向から見たときの図である。図１１（ｂ）は、図１０の画像表示装置１０を直線Ｋ−Ｋで切ったときの断面を矢印Ｘの正方向から見たときの図である。すなわち、図１１（ａ）は固定部２０の垂直断面を示し、図１１（ｂ）はチルト部３０の垂直断面を示す。ただし、図１１（ａ）および図１１（ｂ）は画像表示装置１０の断面のすべてを示したものではない。図１１（ａ）は固定部２０における上流開口部３８ａの周辺のみを示したものであると共に、図１１（ｂ）はチルト部３０における下流開口部３８ｂの周辺のみを示したものである。なお、図１１は、回動時の断面を示すものである。
【０１１６】
３８ｃは上流開口部３８ａの底辺であり、３８ｄは下流開口部３８ｂの底辺である。
【０１１７】
ここで、まず本実施例における上流開口部３８ａについて詳細に説明する。上流開口部３８ａは内側面４１に設けられる開口部の一部であり、この一部を除く残りの開口部は図１１に示すように台座２６によって塞がれている。このことから、上流開口部３８ａの底辺３８ｃは図１１に示す位置となる。すなわち、本実施例における底辺３８ｃと冷却ファンの設置面（台座２６の上面）とは同一平面上に存在する。なお、上流開口部３８ａは以上のように形成されるため、台座２６のチルト部３０側の面と内側面４１とは同一平面上である方が好ましい。これは、台座２６と内側面４１に設けられる開口部との間から冷却空気が漏れ出ることを抑制するためである。なお、上流開口部３８ａの部分のみを内側面４１に開口するだけでもよいことはいうまでもない。
【０１１８】
高さＨ１、高さｈ２および回動高さｙは、基準平面５１から矢印Ｙ方向の高さである。基準平面５１とは、非回動時における下流開口部３８ｂの最下点（最も矢印Ｙの負方向に位置する点）を含むと共に、矢印Ｙに垂直に交わる平面である。本実施例の場合、下流開口部３８ｂは多角形であるため（円形でも、楕円形でもよく、形状は特に限定されない）、上記下流開口部３８ｂの最下点は底辺３８ｄ上に位置する。なお、図１１は上述のごとく回動時の断面を示すため、図１１（ａ）に示す固定部２０と、図１１（ｂ）に示すチルト部３０との矢印Ｙ方向の高さは異なる。本実施例における非回動時の固定部２０とチルト部３０との高さ（矢印Ｙ方向の長さ）は同一とする。
【０１１９】
以下、固定部２０とチルト部３０との各高さの関係について説明する。
【０１２０】
基準平面５２は、回動時における下流開口部３８ｂの最下点を含むと共に、矢印Ｙに垂直に交わる平面である。すなわち、基準平面５２の位置は可変であり、回動角度θが大きくなるほど、基準平面５２の位置は矢印Ｙの正方向に移動する。
【０１２１】
回動高さｙは、上述した基準高さ５１と基準高さ５２との間の垂直距離である。換言すると、回動高さｙは、チルト部３０を回動させることによって生じた下流開口部３８ｂの最下点の矢印Ｙの正方向の移動距離である。
【０１２２】
基準平面５３は、上流開口部３８ａの最下点を含むと共に、矢印Ｙに垂直に交わる平面である。本実施例の場合、上流開口部３８ａは多角形であるため、上記上流開口部３８ａの最下点は底辺３８ｃ上に位置する。また、本実施例の場合、上流開口部３８ａの最下点は冷却ファン２３の設置面を含む平面上にも位置する。すなわち、上流開口部３８ａの最下点は台座２６の上面を含む平面上にも位置する。
【０１２３】
高さｈ２は、上述した基準平面５１と基準平面５３との間の垂直距離である。本実施例の場合、高さｈ２は台座２６の矢印Ｙ方向の高さでもある。
【０１２４】
基準平面５４は、ヒンジ部２５の中心軸を含む平面である。すなわち、基準平面５４は、基準平面５１〜５３と同様に矢印Ｙと垂直に交わる。
【０１２５】
高さＨ１は、上述した基準平面５１と基準平面５４との間の垂直距離である。
【０１２６】
以上の説明および図１０、図１１より、基準平面５２と基準平面５４との間の垂直距離は、Ｈ１ｃｏｓθである。よって、基準平面５２と基準平面５４との間の垂直距離は、回動角度θが大きくなるほど小さくなる。
【０１２７】
また、図１１に示すように回動高さｙは、基準平面５１と基準平面５４との間の垂直距離と、基準平面５２と基準平面５４との間の垂直距離との差でもある。よって、回動高さｙ＝Ｈ１−Ｈ１ｃｏｓθ＝Ｈ１（１−ｃｏｓθ）である。
【０１２８】
本実施例では、この回動高さｙを以下の（数１）の関係を満たす構成とした。
【０１２９】
ｙ＝Ｈ１（１−ｃｏｓθ）≦ｈ２  ・・・（数１）
すなわち、回動角度θは回動高さｙが高さｈ２よりも常に小さくなるように制御される。
【０１３０】
回動角度θの最大値を最大回動角度θｍａｘとすると、０≦θ≦θｍａｘとなるように回動角度θは制御される（直線Ｋ−Ｋから直線Ｌ−Ｌの方向に回動するときを正とする）。最大回動角度θｍａｘとは、回動高さｙ＝高さｈ２となるときの回動角度θである。すなわち、基準平面５２と基準平面５３とは同一平面となり、前記同一平面上に上流開口部３８ａの最下点と下流開口部３８ｂの最下点とは位置する。
【０１３１】
０≦θ≦θｍａｘとなるように回動角度θが制御されることにより、画像表示装置１０の画質劣化を抑制することができる。以下、この理由について説明する。なお、回動角度θの制御方法は機械的に行ってもよいし、電子的に行っても、ソフトウェアを用いてもよく、特に限定するものではない。
【０１３２】
上記説明したように、冷却ファン２３は固定部２０の台座２６の上に設けられる。そして、冷却ファン２３から放出される冷却空気は上流開口部３８ａ、下流開口部３８ｂの順に通過し、チルト部３０に送り込まれる。図１０に示すように、冷却ファン２３からの冷却空気は矢印Ｂの直線延長方向に進み、この直線延長方向に位置する下流開口部３８ｂよりチルト部３０内に入る。
【０１３３】
ここでの問題は、回動角度θを大きくするほど、固定部２０からチルト部３０へ冷却空気を送りにくい点である。回動角度θを大きくするほど、底面４３および底面４４の距離は大きくなり、固定部２０とチルト部３０との間に生じる隙間は大きくなる。これにより、固定部２０からチルト部３０に向かう冷却空気は画像表示装置１０の外部により漏れやすくなる。例えば、回動角度θ＝９０度とすると、矢印Ｂの直線延長方向にチルト部３０は存在しないため、冷却空気はほぼ外部へ漏れ出る。また、上流開口部３８ａの最下点は上流開口部３８ａの中で、固定部２０とチルト部３０との間に生じる隙間に最も近いため、上流開口部３８ａの最下点から排気される冷却空気は固定部２０とチルト部３０との間に生じる隙間から特に漏れやすい。
【０１３４】
そこで、本実施例におけるヒンジ部２５は常に０≦θ≦θｍａｘの関係を満たすように制御される。すなわち、基準平面５２は基準平面５３よりも高くならない（矢印Ｙの正方向とならない）。換言すると、底辺３８ｄ（下流開口部３８ｂの最下点を含む）は、底辺３８ｃ（上流開口部３８ａの最下点を含む）よりも高い位置（矢印Ｙの正方向の位置）とならない。したがって、上流開口部３８ａの最下点からの上流開口部３８ａ（内側面４１）の垂直方向に下流開口部３８ｂは存在する。換言すると、下流開口部３８ｂの最下点からの下流開口部３８ｂ（内側面４２）の垂直方向に上流開口部３８ａは存在しない。
【０１３５】
以上のように回動角度θが制御されることにより、回動時においても、上流開口部３８ａの最下点と下流開口部３８ｂとの間の冷却風路を矢印Ｘに平行な直線で結ぶことができる。このため、上流開口部３８ａの最下点から矢印Ｘの正方向に流れる冷却空気が画像表示装置１０の外部に漏れ出ることを抑制することができる。
【０１３６】
したがって、上流開口部３８ａから下流開口部３８ｂへ冷却空気をより確実に送ることができる。よって、吸気口２１ａと排気口３１ａおよび３２ａとの間に冷却風路を形成することができると共に、チルト部３０内の画像表示装置本体１００をより効果的に冷却することができる。これにより、各色レーザ光源装置１〜３の温度上昇は抑制される。したがって、画像表示装置１０の画質劣化を抑制することができる。さらに、画像表示装置１０は上述のごとく、赤色レーザ光源装置２、緑色レーザ光源装置１、青色レーザ光源装置３の順に優先的に冷却される構成となっているため、長時間安定して画質劣化を抑制することができる。
【０１３７】
さらに、本実施例において、回動時における下流開口部３８ｂの図１１（ｂ）に示すような垂直断面の面積は、上流開口部３８ａの面積よりも大きい。下流開口部３８ｂからの上流開口部３８ａの垂直方向の射影（下流開口部３８ｂからの矢印Ｘの負方向の射影）は上流開口部３８ａを包含する。すなわち、上流開口部３８ａからの冷却空気の矢印Ｂの直線延長方向には、回動時においても下流開口部３８ｂが存在する。よって、上流開口部３８ａと下流開口部３８ｂとの間の冷却風路を直線状に形成することができる。以上より、上流開口部３８ａと下流開口部３８ｂとの間に蛇腹等のガイドが設けられなくても、上流開口部３８ａから下流開口部３８ｂへ冷却空気を送り込むことができる。したがって、画像表示装置１０は長時間安定して画質劣化を抑制することができる。なお、本実施例では、矢印Ｂの直線延長方向と、矢印Ｘの正方向とは同一とする。
【０１３８】
また、本実施例において、冷却ファン２３と上流開口部３８ａとは同じ高さとした。換言すると、冷却ファン２３の設置面と上流開口部３８ａの底辺３８ｃとは同一平面上（この平面は矢印Ｙに垂直に交わる）に位置する。これにより、画像表示装置１０は冷却ファン２３からの冷却空気が上流開口部３８ａに円滑に流れるように構成される。なお、冷却ファン２３と上流開口部３８ａとを同じ高さに設けない構成であっても、冷却ファン２３からの冷却空気が上流開口部３８ａに流れるようにガイドを設ければよい。
【０１３９】
さらに、本実施例の画像表示装置１０は、上流開口部３８ａは固定部２０の底面４３よりも上面２１（または、ヒンジ部２５）に近い位置に設けるような構成とした。これにより、台座２６を固定部２０に設けない場合に比べて、上流開口部３８ａの底辺３８ｃ（基準平面５３）を高い位置に設けることができる。すなわち、台座２６を固定部２０に設けない場合に比べて、高さｈ２の距離を長くすることができる。上述のごとく、チルト部３０がヒンジ部２５を軸に回動することにより、基準平面５２は矢印Ｙの正方向に移動する。このため、上流開口部３８ａの底辺３８ｃ（基準平面５３）を高い位置に設けることにより、（数１）の関係を満たす回動角度θの範囲を大きくすることができる。すなわち、固定部２０とチルト部３０との間の冷却風路を確保しながら、最大回動角度θｍａｘを大きくすることができる。よって、画像表示装置１０の投射方向の変更可能な範囲を大きくすることができる。
【０１４０】
なお、本実施例における画像表示装置１０は底面４３および底面４４が同一平面上となるように構成したが、この限りではない。例えば、固定部２０の矢印Ｙ方向の長さは、チルト部３０の矢印Ｙ方向の長さよりも短くすることによって、台座２６を設けなくても基準平面５３の高さを高くする（矢印Ｙの正方向にする）ことができる。高さｈ２の距離を長くするために、可能な限り下流開口部３８ｂの底辺３８ｄの低くする（矢印Ｙの負方向にする）方が好ましい。これは、固定部２０とチルト部３０との間の冷却風路を確保しながら、最大回動角度θｍａｘを大きくすることができるためである。
【０１４１】
なお、本実施例では、制御基板２２の一部は冷却風路上に位置するが、画像表示装置本体１００を重点的に冷却するために、制御基板２２は冷却風路上に設けない方が好ましい。これは、冷却ファン２３からの冷却空気が制御基板２２の熱を吸収することを抑制するためである。冷却空気の制御基板２２から熱吸収を抑制することによって、より温度の低い冷却空気がチルト部３０に送られる。このため、画像表示装置本体１００をさらに効果的に冷却することができる。
【０１４２】
以上のことを実現するために、例えば、冷却ファン２３の階層と制御基板２２の階層とをずらせばよい。ここで階層とは、矢印Ｙに垂直な面である。よって、冷却ファン２３からの矢印Ｘの正負方向および矢印Ｚの正負方向に制御基板２２を設けなければよい。本実施例における図１０に当てはめると、制御基板２２は台座２６と同一の階層とすればよい。これにより、制御基板２２の現状の大きさを確保したまま、制御基板２２を冷却風路上に設けない構成とすることができる。冷却空気は制御基板２２による熱吸収を抑制され、より低い温度の冷却空気で画像表示装置本体１００を冷却することができる。すなわち、画像表示装置１０の画質劣化はさらに抑制される。なお、冷却風路上に位置する制御基板２２のみの階層をずらしてもよい。
【０１４３】
なお、本実施例において、ヒンジ部２５は底面４３（または底面４４）よりも上面２１側に設けられる。これにより、画像表示装置１０を、チルト部３０が回動しても固定部２０に接触しないような構成することができる。例えば、ヒンジ部２５が上面２１および底面４３と同一の距離を有する位置に設けられるとき、チルト部３０が回動することによりヒンジ部２５よりも矢印Ｙの正方向に存在する内側面４２は矢印Ｘの負方向に移動する。このため、固定部２０はこの回動時のチルト部３０の移動分のスペースを確保するための凹部を設ける必要がある。仮に前記凹部を固定部２０に設けた場合、部材を設けることのできない前記凹部を要するため、固定部２０が拡大化する可能性がある。以上より、画像表示装置１０の小型化を図るため、ヒンジ部２５を底面４３（または底面４４）よりも上面２１側に設ける方が好ましい。
【０１４４】
なお、本実施例では、図６に示す画像表示装置１０の断面を用いて回動角度θの制御方法について説明したが、図９に示す構成の画像表示装置１０に上述した回動角度θの制御方法を適用してもよいことはいうまでもない。
【０１４５】
（実施例２）
以下、本発明の実施例２について図１２を用いて説明する。図１２は、本発明の実施例２における画像表示装置の断面を示す図である。ここでは、実施例１と同一の構成、機能を備えた部材には同一の符号を付し、詳細な説明を省略する。
【０１４６】
本実施例では、回動角度θの制御方法の一例について説明する。本実施例での回動角度θの制御は、凹部４５と突出部４６とで機械的に行われる。本実施例でも同様に、０≦θ≦θｍａｘとなるように回動角度θは制御される。
【０１４７】
図１２に示すように凹部４５は固定部２０に設けられ、突出部４６はチルト部３０のヒンジ部２５の周辺に設けられる。チルト部３０が回動するのと共に突出部４６も回動方向に移動する。そして、突出部４６は凹部４５を通過して、固定部２０に接触することにより、チルト部３０の回動は規制される。すなわち、突出部４６が固定部２０に接触するときの回動角度θは最大回動角度θｍａｘである。換言すると、突出部４６が固定部２０に接触するとき、基準平面５２と基準平面５３とは同一平面となるように画像表示装置１０は構成される。
【０１４８】
以上のように０≦θ≦θｍａｘとなるように回動角度θが制御されることにより、回動時においても、上流開口部３８ａの最下点と下流開口部３８ｂとの間の冷却風路を矢印Ｘに平行な直線で結ぶことができる。このため、上流開口部３８ａの最下点から矢印Ｘの正方向に流れる冷却空気が画像表示装置１０の外部に漏れ出ることを抑制することができる。
【０１４９】
したがって、上流開口部３８ａから下流開口部３８ｂへ冷却空気をより確実に送ることができる。よって、吸気口２１ａと排気口３１ａおよび３２ａとの間に冷却風路を形成することができると共に、チルト部３０内の画像表示装置本体１００をより効果的に冷却することができる。これにより、各色レーザ光源装置１〜３の温度上昇は抑制される。したがって、画像表示装置１０の画質劣化を抑制することができる。さらに、画像表示装置１０は上述の実施例１のごとく、赤色レーザ光源装置２、緑色レーザ光源装置１、青色レーザ光源装置３の順に優先的に冷却される構成となっているため、長時間安定して画質劣化を抑制することができる。
【０１５０】
なお、画像表示装置１０の筐体１１（固定部２０およびチルト部３０を含む）は、凹凸の少ない形状が好ましい。これは、搭載するスペースが限定される電子機器（例えば、ＰＣ３００等）への画像表示装置１０の搭載を容易にするためである。
【０１５１】
以上のことから、固定部２０の上面２１とチルト部３０の上面とは同一平面上に存在する方が好ましい。すなわち、突出部４６が上記同一平面上から突出しないような画像表示装置１０の構成が好ましい。ただし、本実施例のように突出部４６が上記同一平面上から突出する構成の場合、突出部４６を画像表示装置１０に収納可能な構成とすればよい。これにより、例えばＰＣ３００等の電子機器への画像表示装置１０の搭載を容易にすることができる。
【０１５２】
（実施例３）
以下、本発明の実施例３について図１３を用いて説明する。図１３は、本発明の実施例３における画像表示装置の断面を示す図である。ここでは、実施例１、２と同一の構成、機能を備えた部材には同一の符号を付し、詳細な説明を省略する。
【０１５３】
本実施例では、回動角度θの制御方法の一例について説明する。本実施例での回動角度θの制御は、シート出入部４７とシート部材４８とで機械的に行われる。本実施例でも同様に、０≦θ≦θｍａｘとなるように回動角度θは制御される。なお、本実施例では２つのシート出入部４７が使用され、固定部２０に設けられる方をシート出入部４７ａとし、チルト部３０に設けられる方をシート出入部４７ｂとする。
【０１５４】
シート出入部４７ａは固定部２０内に設けられ、シート出入部４７ｂはチルト部３０に設けられる。また、シート出入部４７ａおよびシート出入部４７ｂは後述するシート部材４８を巻き取り可能（収納可能）であると共に、引き出し可能である。シート部材４８はシート出入部４７ａとシート出入部４７ｂとに接続される。シート出入部４７ａおよびシート出入部４７ｂ間の距離に応じて、シート部材４８がシート出入部４７ａまたはシート出入部４７ｂに収納される長さは変わる。つまり、シート出入部４７ａおよびシート出入部４７ｂの外部に露出するシート部材４８の長さは変わる。
【０１５５】
回動角度θを大きくすると、段々とシート出入部４７ａとシート出入部４７ｂとの距離は遠ざかり、シート出入部４７ａまたはシート出入部４７ｂの中に収納されるシート部材４８はシート出入部４７ａまたはシート出入部４７ｂの外に引き出される。一方、回動角度θを小さくすると、シート出入部４７ａとシート出入部４７ｂとの距離は近づき、シート部材４８はシート出入部４７ａまたはシート出入部４７ｂの中に収納される。
【０１５６】
以上説明したように、回動角度θを大きくすると、シート出入部４７ａおよびシート出入部４７ｂとは離れる。このため、シート部材４８はシート出入部４７ａおよびシート出入部４７ｂから引き出される。シート部材４８がすべてシート出入部４７ａおよびシート出入部４７ｂから引き出された状態のとき、シート出入部４７ａおよびシート出入部４７ｂはこの状態以上に離れることはできない。すなわち、回動角度θも大きくできないため、このときの回動角度θが最大回動角度θｍａｘとなる。
【０１５７】
以上のように０≦θ≦θｍａｘとなるように回動角度θが制御されることにより、回動時においても、上流開口部３８ａの最下点と下流開口部３８ｂとの間の冷却風路を矢印Ｘに平行な直線で結ぶことができる。このため、上流開口部３８ａの最下点から矢印Ｘの正方向に流れる冷却空気が画像表示装置１０の外部に漏れ出ることを抑制することができる。
【０１５８】
したがって、上流開口部３８ａから下流開口部３８ｂへ冷却空気をより確実に送ることができる。よって、吸気口２１ａと排気口３１ａおよび３２ａとの間に冷却風路を形成することができると共に、チルト部３０内の画像表示装置本体１００をより効果的に冷却することができる。これにより、各色レーザ光源装置１〜３の温度上昇は抑制される。したがって、画像表示装置１０の画質劣化を抑制することができる。さらに、画像表示装置１０は上述の実施例１のごとく、赤色レーザ光源装置２、緑色レーザ光源装置１、青色レーザ光源装置３の順に優先的に冷却される構成となっているため、長時間安定して画質劣化を抑制することができる。
【０１５９】
なお、本実施例では、固定部２０およびチルト部３０にシート出入部４７をそれぞれ設けたが、必ずしも両方に設けなくてもよい。すなわち、シート出入部４７はどちらか一方に設けられればよい。ただし、シート出入部４７を固定部２０およびチルト部３０にそれぞれ設ける場合、２つのシート出入部４７でシート部材４８を収納すればよいので、１つのシート出入部４７を小さくすることができる。
【０１６０】
なお、本実施例では、シート部材４８をシート出入部４７ａおよびシート出入部４７ｂで収納する構成としたが、画像表示装置１０にシート出入部４７ａおよびシート出入部４７ｂを設けなくてもよい。シート部材４８は画像表示装置１０内にたるんだ状態で保持されるが、回動角度θを制御することはできる。
【０１６１】
また、本実施例のシート出入部４７ａおよびシート出入部４７ｂは、図８（または図９）に示す領域Ｕと領域Ｔとの境界部分と同等の長さを有する。すなわち、シート出入部４７ａおよびシート出入部４７ｂに収納されるシート部材４８も領域Ｕと領域Ｔとの境界と同等の幅を有する。換言すると、この幅は内側面４１または内側面４２の矢印Ｚ方向の長さである。チルト部３０が傾く際に固定部２０とチルト部３０との間に生じる隙間をシート部材４８は埋めることができる。
【０１６２】
よって、固定部２０からチルト部３０に送られる冷却空気が上記隙間から漏れ出ることをシート部材４８は抑制する。したがって、冷却空気をより確実にチルト部に送ることができる。すなわち、チルト部３０に内包される画像表示装置本体１００（特に各色レーザ光源装置１〜３）の冷却をより確実に促進することができる。したがって、各色レーザ光源装置１〜３の温度上昇によって各色レーザ光源装置１〜３の出力が低下することによる画質劣化を抑制することができる。
【０１６３】
なお、実施例１〜３は適宜組み合わせ可能である。
【産業上の利用可能性】
【０１６４】
本発明の画像表示装置は、光源であるレーザ光の出力低下を抑制するため、長時間安定して高画質の画像を投射可能な装置として適用可能である。
【符号の説明】
【０１６５】
１    緑色レーザ光源装置
１ａ    緑色レーザホルダ
２    赤色レーザ光源装置
２ａ    赤色レーザホルダ
３    青色レーザ光源装置
３ａ    青色レーザホルダ
４    投射レンズ
５、６    ダイクロイックミラー
７    フィールドレンズ
８    ＰＢＳ
９    空間変調素子
１０    画像表示装置
１１    筐体
２０    固定部
２１    上面
２１ａ    吸気口
２２、２２ａ、２２ｂ    制御基板（制御部）
２３    冷却ファン（送風機）
２４    ガイド
２５    ヒンジ部
３０    チルト部
３１、３２    側面
３１ａ、３２ａ    排気口
３３    投射口
３４、３５、３６、３９、４０    フィン
３４ａ、３９ａ    凹部
３６ａ    高段部
３６ｂ    低段部
３７、３９ｂ、４０ａ    ガイド
３８    開口部
３８ａ    上流開口部
３８ｂ    下流開口部
３８ｃ、３８ｄ    底辺
４１、４２    内側面
４３、４４    底面
４５    凹部
４６    突出部
４７、４７ａ、４７ｂ    シート出入部
４８    シート部材
５１、５２、５３、５４    基準平面
１００    画像表示装置本体
２００    本体筐体
２０１    突起部
２０１ａ、２０１ｂ    側面
２０２    面
３００    ＰＣ
【要約】
【課題】本発明の画像表示装置は、画質の劣化を抑制すると共に、投射方向を変更可能な画像表示装置を提供することを目的とする。
【解決手段】冷却ファン２３を格納すると共に、冷却ファン２３からの空気を排出する上流開口部３８ａを有する固定部２０と、上流開口部３８ａから排出された空気を吸気する下流開口部３８ｂを有すると共に、画像を投射する画像表示装置本体１００を格納するチルト部３０と、固定部２０からチルト部３０を回動させる軸となるヒンジ部２５と、を備え、上流開口部３８ａの最下点からの上流開口部３８ａの垂直方向の射影と下流開口部３８ｂとは交わるようにヒンジ部２５は制御される。
【選択図】図１０【図１】
0004771004.tif 000002
【図２】
0004771004.tif 000003
【図３】
0004771004.tif 000004
【図５】
0004771004.tif 000005
【図８】
0004771004.tif 000006
【図４】
0004771004.tif 000007
【図６】
0004771004.tif 000008
【図７】
0004771004.tif 000009
【図９】
0004771004.tif 000010
【図１０】
0004771004.tif 000011
【図１１】
0004771004.tif 000012
【図１２】
0004771004.tif 000013
【図１３】
0004771004.tif 000014